(57)【特許請求の範囲】
【請求項１】
商品に表示されたＡＲマーカーを撮影可能な撮影部、前記商品に関する情報である商品情報を要求するための商品情報要求信号を送信するクライアント側送信部、前記商品情報を受信するクライアント側受信部、および、前記クライアント側受信部が受信した前記商品情報を表示する表示部を含み、前記撮影部を用いて前記ＡＲマーカーを撮影するための業務用アプリケーションおよび一般用アプリケーションをインストールできるように構成された携帯端末と、
前記クライアント側送信部から送信された前記商品情報要求信号に基づいて、撮影された前記ＡＲマーカーに対応する前記商品情報をネットワークを介して前記携帯端末に送信するサーバー側通信部を含むサーバーとを備え、
前記サーバーは、前記ＡＲマーカーを撮影するために用いられたアプリケーションの種類に関する情報に基づいて、前記業務用アプリケーションを用いて前記ＡＲマーカーが撮影されたことを検出した場合、業務用商品情報を含む前記商品情報を前記サーバー側通信部から送信し、前記ＡＲマーカーを撮影するために用いられたアプリケーションの種類に関する情報に基づいて、前記一般用アプリケーションを用いて前記ＡＲマーカーが撮影されたことを検出した場合、一般用商品情報を含む前記商品情報を前記サーバー側通信部から送信する
商品情報提供システム。
【請求項２】
前記サーバーは、前記ＡＲマーカーを撮影するために用いられたアプリケーションの種類に関する情報に基づいて、前記一般用アプリケーションを用いて前記ＡＲマーカーが撮影されたことを検出した場合、前記一般用商品情報だけを含む前記商品情報を前記サーバー側通信部から送信する
請求項１に記載の商品情報提供システム。
【請求項３】
前記サーバー側通信部は、撮影された前記ＡＲマーカーが表示された前記商品の流通履歴、および、その商品を構成する部品または原材料の流通履歴の少なくとも一方を含む前記業務用商品情報を送信する
請求項１または２に記載の商品情報提供システム。
【請求項４】
前記サーバー側通信部は、原材料情報、生産者情報、製造地情報、製造工程情報、ＣＯ２排出量情報、品質管理情報、在庫管理情報、物流管理情報、流通ルート情報、出荷日時情報、および、入荷日時情報の少なくとも１つを前記流通履歴に含む前記業務用商品情報を送信する
請求項３に記載の商品情報提供システム。
【請求項５】
前記携帯端末は、前記携帯端末の位置を示す位置情報信号を前記クライアント側送信部から送信し、
前記サーバーは、前記携帯端末から送信された前記位置情報信号に基づいて、前記サーバー側通信部から送信する前記業務用商品情報の内容を変更する
請求項１〜４のいずれか一項に記載の商品情報提供システム。
【請求項６】
前記サーバーは、前記携帯端末から送信された前記位置情報信号に基づいて、前記携帯端末が所定の位置に存在しないことを検出したときに、前記サーバー側通信部から前記業務用商品情報を送信することを禁止する
請求項５に記載の商品情報提供システム。
【請求項７】
前記サーバーは、時刻に応じて前記サーバー側通信部から送信する前記業務用商品情報の内容を変更する
請求項１〜６のいずれか一項に記載の商品情報提供システム。
【請求項８】
前記サーバーは、所定の時間外であるときに、前記サーバー側通信部から前記業務用商品情報を送信することを禁止する
請求項７に記載の商品情報提供システム。
【請求項９】
商品に表示されたＡＲマーカーを撮影可能な撮影部、前記商品に関する情報である商品情報を要求するための商品情報要求信号を送信するクライアント側送信部、前記商品情報を受信するクライアント側受信部、および、前記クライアント側受信部が受信した前記商品情報を表示する表示部を含み、前記撮影部を用いて前記ＡＲマーカーを撮影するための撮影モードに業務用撮影モードおよび一般用撮影モードを含むアプリケーションをインストールできるように構成された携帯端末と、
前記クライアント側送信部から送信された前記商品情報要求信号に基づいて、撮影された前記ＡＲマーカーに対応する前記商品情報をネットワークを介して前記携帯端末に送信するサーバー側通信部を含むサーバーとを備え、
前記サーバーは、前記ＡＲマーカーを撮影するために用いられた前記撮影モードの種類に関する情報に基づいて、前記業務用撮影モードを用いて前記ＡＲマーカーが撮影されたことを検出した場合、業務用商品情報を含む前記商品情報を前記サーバー側通信部から送信し、前記ＡＲマーカーを撮影するために用いられた前記撮影モードの種類に関する情報に基づいて、前記一般用撮影モードを用いて前記ＡＲマーカーが撮影されたことを検出した場合、一般用商品情報を含む前記商品情報を前記サーバー側通信部から送信する
商品情報提供システム。
【請求項１０】
商品に表示されたＡＲマーカーが携帯端末で撮影された場合に前記商品に関する情報である商品情報をネットワークを介してサーバーから前記携帯端末に送信する商品情報提供方法であって、
前記携帯端末が、業務用アプリケーションまたは一般用アプリケーションを用いて前記ＡＲマーカーを撮影する撮影ステップと、
前記ＡＲマーカーを撮影した前記携帯端末が、前記商品情報を要求するための商品情報要求信号を前記サーバーに送信するクライアント側送信ステップと、
前記商品情報要求信号を受信した前記サーバーが、前記ＡＲマーカーを撮影するために用いられたアプリケーションの種類に関する情報に基づいて、前記業務用アプリケーションを用いて前記ＡＲマーカーが撮影されたことを検出した場合、業務用商品情報を含む前記商品情報を前記サーバーから送信し、前記ＡＲマーカーを撮影するために用いられたアプリケーションの種類に関する情報に基づいて、前記一般用アプリケーションを用いて前記ＡＲマーカーが撮影されたことを検出した場合、一般用商品情報を含む前記商品情報を前記サーバーから送信するサーバー側送信ステップと、
前記携帯端末が、前記サーバーから受信した前記商品情報を表示する表示ステップとを含む
商品情報提供方法。
【請求項１１】
商品に表示されたＡＲマーカーが携帯端末で撮影された場合に前記商品に関する情報である商品情報をネットワークを介してサーバーから前記携帯端末に送信する商品情報提供方法であって、
前記携帯端末が、業務用撮影モードまたは一般用撮影モードを用いて前記ＡＲマーカーを撮影する撮影ステップと、
前記ＡＲマーカーを撮影した前記携帯端末が、前記商品情報を要求するための商品情報要求信号を前記サーバーに送信するクライアント側送信ステップと、
前記商品情報要求信号を受信した前記サーバーが、前記ＡＲマーカーを撮影するために用いられた撮影モードの種類に関する情報に基づいて、前記業務用撮影モードを用いて前記ＡＲマーカーが撮影されたことを検出した場合、業務用商品情報を含む前記商品情報を前記サーバーから送信し、前記ＡＲマーカーを撮影するために用いられた撮影モードの種類に関する情報に基づいて、前記一般用撮影モードを用いて前記ＡＲマーカーが撮影されたことを検出した場合、一般用商品情報を含む前記商品情報を前記サーバーから送信するサーバー側送信ステップと、
前記携帯端末が、前記サーバーから受信した前記商品情報を表示する表示ステップとを含む
商品情報提供方法。
【発明の詳細な説明】
【技術分野】
【０００１】
本願発明は、携帯端末で撮影された商品に対応する商品情報を、ネットワークを介してサーバーから提供する商品情報提供システムおよび商品情報提供方法に関する。
【背景技術】
【０００２】
携帯端末のカメラにより、携帯端末を用いて商品のパッケージに付加されている二次元コードを撮影して、カメラ付き携帯端末で、商品情報を提供するウェブサイトのＵＲＬを取得することが知られている。
【０００３】
特許文献１は、商品情報を提供可能な商品情報提供端末装置を開示する。この商品情報提供端末装置は、撮像手段、商品情報取得部、および表示部を備える。商品情報取得部は、撮像手段によって撮像された撮像画像に含まれる商品に関する商品情報を取得する。表示部は、商品情報取得部によって取得された商品情報を現実空間に重畳して表示する。
【先行技術文献】
【特許文献】
【０００４】
【特許文献１】特開２０１１−２５３３２４号公報
【発明の概要】
【発明が解決しようとする課題】
【０００５】
一般の消費者に提示される一般用商品情報に対して、商品の製造または販売に携わる者（以下、「業者」）に提示される業務用商品情報は、一般の消費者には非公開とすることが求められることがある。したがって、一般用商品情報と業務用商品情報とが同時に提示されないことが求められ、端末装置のユーザーに応じた商品情報を提供することが要求される。しかし、特許文献１の商品情報提供端末装置において、端末装置のユーザーに応じた商品情報を提供することについては何ら考慮されていない。
【０００６】
本発明は、以上の背景から創作されたものであり、携帯端末のユーザーに応じた商品情報を提供することが可能となる商品情報提供システムおよび商品情報提供方法を提供することを目的とする。
【課題を解決するための手段】
【０００７】
〔１〕本発明に従う商品情報提供システムの一形態は、商品に表示されたＡＲマーカーを撮影可能な撮影部、前記商品に関する情報である商品情報を要求するための商品情報要求信号を送信するクライアント側送信部、前記商品情報を受信するクライアント側受信部、および、前記クライアント側受信部が受信した前記商品情報を表示する表示部を含み、前記撮影部を用いて前記ＡＲマーカーを撮影するための業務用アプリケーションおよび一般用アプリケーションをインストールできるように構成された携帯端末と、前記クライアント側送信部から送信された前記商品情報要求信号に基づいて、撮影された前記ＡＲマーカーに対応する前記商品情報をネットワークを介して前記携帯端末に送信するサーバー側通信部を含むサーバーとを備え、前記サーバーは、前記ＡＲマーカーを撮影するために用いられたアプリケーションの種類に関する情報に基づいて、前記業務用アプリケーションを用いて前記ＡＲマーカーが撮影されたことを検出した場合、業務用商品情報を含む前記商品情報を前記サーバー側通信部から送信し、前記ＡＲマーカーを撮影するために用いられたアプリケーションの種類に関する情報に基づいて、前記一般用アプリケーションを用いて前記ＡＲマーカーが撮影されたことを検出した場合、一般用商品情報を含む前記商品情報を前記サーバー側通信部から送信する。
〔２〕前記商品情報提供システムの一例によれば、前記サーバーは、前記ＡＲマーカーを撮影するために用いられたアプリケーションの種類に関する情報に基づいて、前記一般用アプリケーションを用いて前記ＡＲマーカーが撮影されたことを検出した場合、前記一般用商品情報だけを含む前記商品情報を前記サーバー側通信部から送信する。
【０００８】
上記商品情報提供システムによれば、商品に表示されているＡＲマーカーを撮影するアプリケーションとして一般用アプリケーションが使用される場合には、携帯端末のユーザーには一般用商品情報が提示される。一方、商品に表示されているＡＲマーカーを撮影するアプリケーションとして業務用アプリケーションが使用される場合には、携帯端末のユーザーには業務用商品情報が提示される。したがって、一般の消費者に業務用アプリケーションが頒布されずに一般用アプリケーションが頒布されれば、一般の消費者は、一般用アプリケーションを使用して一般用商品情報を取得することができ、一般の消費者には業務用商品情報が提示されないようにすることができる。また、業者に業務用アプリケーションが頒布されれば、業者は、業務用アプリケーションを使用して業務用商品情報を取得することができる。よって、携帯端末のユーザーに応じた商品情報を提供することが可能となる。
【０００９】
〔３〕前記商品情報提供システムの一例によれば、前記サーバー側通信部は、撮影された前記ＡＲマーカーが表示された前記商品の流通履歴、および、その商品を構成する部品または原材料の流通履歴の少なくとも一方を含む前記業務用商品情報を送信する。
【００１０】
上記商品情報提供システムによれば、携帯端末のユーザーである業者が、商品に表示されているＡＲマーカーを撮影することにより、商品についての流通履歴、および商品を構成する部品または原材料についての流通履歴の少なくとも一方を取得することが可能となる。
【００１１】
〔４〕前記商品情報提供システムの一例によれば、前記サーバー側通信部は、原材料情報、生産者情報、製造地情報、製造工程情報、ＣＯ２排出量情報、品質管理情報、在庫管理情報、物流管理情報、流通ルート情報、出荷日時情報、および、入荷日時情報の少なくとも１つを前記流通履歴に含む前記業務用商品情報を送信する。
【００１２】
〔５〕前記商品情報提供システムの一例によれば、前記携帯端末は、前記携帯端末の位置を示す位置情報信号を前記クライアント側送信部から送信し、前記サーバーは、前記携帯端末から送信された前記位置情報信号に基づいて、前記サーバー側通信部から送信する前記業務用商品情報の内容を変更する。
【００１３】
上記商品情報提供システムによれば、商品の存在する場所に対応した業務用商品情報を提示することができるため、携帯端末のユーザーである業者が、商品の流通工程に応じた業務用商品情報を取得することが可能となる。
【００１４】
〔６〕前記商品情報提供システムの一例によれば、前記サーバーは、前記携帯端末から送信された前記位置情報信号に基づいて、前記携帯端末が所定の位置に存在しないことを検出したときに、前記サーバー側通信部から前記業務用商品情報を送信することを禁止する。
【００１５】
上記商品情報提供システムによれば、業務用商品情報が提示されることが好ましくない場所で携帯端末が使用されている場合には、業務用商品情報の提示を禁止することができ、業務用商品情報の非公開制を高めることができる。
【００１６】
〔７〕前記商品情報提供システムの一例によれば、前記サーバーは、時刻に応じて前記サーバー側通信部から送信する前記業務用商品情報の内容を変更する。
【００１７】
上記商品情報提供システムによれば、時刻に対応した業務用商品情報を提示することができるため、携帯端末のユーザーである業者が、商品の流通工程に応じた業務用商品情報を取得することが可能となる。
【００１８】
〔８〕前記商品情報提供システムの一例によれば、前記サーバーは、所定の時間外であるときに、前記サーバー側通信部から前記業務用商品情報を送信することを禁止する。
【００１９】
上記商品情報提供システムによれば、業務用商品情報が提示されることが好ましくない時間帯に携帯端末が使用されている場合には、業務用商品情報の提示を禁止することができ、業務用商品情報の非公開制を高めることができる。
【００２０】
〔９〕本発明に従う商品情報提供システムの一形態は、商品に表示されたＡＲマーカーを撮影可能な撮影部、前記商品に関する情報である商品情報を要求するための商品情報要求信号を送信するクライアント側送信部、前記商品情報を受信するクライアント側受信部、および、前記クライアント側受信部が受信した前記商品情報を表示する表示部を含み、前記撮影部を用いて前記ＡＲマーカーを撮影するための撮影モードに業務用撮影モードおよび一般用撮影モードを含むアプリケーションをインストールできるように構成された携帯端末と、前記クライアント側送信部から送信された前記商品情報要求信号に基づいて、撮影された前記ＡＲマーカーに対応する前記商品情報をネットワークを介して前記携帯端末に送信するサーバー側通信部を含むサーバーとを備え、前記サーバーは、前記ＡＲマーカーを撮影するために用いられた前記撮影モードの種類に関する情報に基づいて、前記業務用撮影モードを用いて前記ＡＲマーカーが撮影されたことを検出した場合、業務用商品情報を含む前記商品情報を前記サーバー側通信部から送信し、前記ＡＲマーカーを撮影するために用いられた前記撮影モードの種類に関する情報に基づいて、前記一般用撮影モードを用いて前記ＡＲマーカーが撮影されたことを検出した場合、一般用商品情報を含む前記商品情報を前記サーバー側通信部から送信する。
【００２１】
上記商品情報提供システムによれば、商品に表示されているＡＲマーカーを撮影するアプリケーションにおいて、一般用撮影モードが使用される場合には、携帯端末のユーザーには一般用商品情報が提示される。一方、商品に表示されているＡＲマーカーを撮影するアプリケーションにおいて、業務用撮影モードが使用される場合には、携帯端末のユーザーには業務用商品情報が提示される。したがって、一般の消費者による業務用撮影モードの使用が禁止されて一般用撮影モードの使用が許可されれば、一般の消費者は、一般用撮影モードを使用して一般用商品情報を取得することができ、一般の消費者には業務用商品情報が提示されないようにすることができる。また、業者による業務用撮影モードの使用が許可されれば、業者は、業務用撮影モードを使用して業務用商品情報を取得することができる。よって、携帯端末のユーザーに応じた商品情報を提供することが可能となる。
【００２２】
〔１０〕本発明に従う商品情報提供方法の一形態は、商品に表示されたＡＲマーカーが携帯端末で撮影された場合に前記商品に関する情報である商品情報をネットワークを介してサーバーから前記携帯端末に送信する商品情報提供方法であって、前記携帯端末が、業務用アプリケーションまたは一般用アプリケーションを用いて前記ＡＲマーカーを撮影する撮影ステップと、前記ＡＲマーカーを撮影した前記携帯端末が、前記商品情報を要求するための商品情報要求信号を前記サーバーに送信するクライアント側送信ステップと、前記商品情報要求信号を受信した前記サーバーが、前記ＡＲマーカーを撮影するために用いられたアプリケーションの種類に関する情報に基づいて、前記業務用アプリケーションを用いて前記ＡＲマーカーが撮影されたことを検出した場合、業務用商品情報を含む前記商品情報を前記サーバーから送信し、前記ＡＲマーカーを撮影するために用いられたアプリケーションの種類に関する情報に基づいて、前記一般用アプリケーションを用いて前記ＡＲマーカーが撮影されたことを検出した場合、一般用商品情報を含む前記商品情報を前記サーバーから送信するサーバー側送信ステップと、前記携帯端末が、前記サーバーから受信した前記商品情報を表示する表示ステップとを含む。
【００２３】
上記商品情報提供方法によれば、商品に表示されているＡＲマーカーを撮影するアプリケーションとして一般用アプリケーションが使用される場合には、携帯端末のユーザーには一般用商品情報が提示される。一方、商品に表示されているＡＲマーカーを撮影するアプリケーションとして業務用アプリケーションが使用される場合には、携帯端末のユーザーには業務用商品情報が提示される。したがって、一般の消費者に対して業務用アプリケーションを使用させずに一般用アプリケーションを使用させれば、一般の消費者は、一般用アプリケーションを使用して一般用商品情報を取得することができ、一般の消費者には業務用商品情報が提示されないようにすることができる。また、業者に対して業務用アプリケーションを使用させれば、業者は、業務用アプリケーションを使用して業務用商品情報を取得することができる。よって、携帯端末のユーザーに応じた商品情報を提供することが可能となる。
【００２４】
〔１１〕本発明に従う商品情報提供方法の一形態は、商品に表示されたＡＲマーカーが携帯端末で撮影された場合に前記商品に関する情報である商品情報をネットワークを介してサーバーから前記携帯端末に送信する商品情報提供方法であって、前記携帯端末が、業務用撮影モードまたは一般用撮影モードを用いて前記ＡＲマーカーを撮影する撮影ステップと、前記ＡＲマーカーを撮影した前記携帯端末が、前記商品情報を要求するための商品情報要求信号を前記サーバーに送信するクライアント側送信ステップと、前記商品情報要求信号を受信した前記サーバーが、前記ＡＲマーカーを撮影するために用いられた撮影モードの種類に関する情報に基づいて、前記業務用撮影モードを用いて前記ＡＲマーカーが撮影されたことを検出した場合、業務用商品情報を含む前記商品情報を前記サーバーから送信し、前記ＡＲマーカーを撮影するために用いられた撮影モードの種類に関する情報に基づいて、前記一般用撮影モードを用いて前記ＡＲマーカーが撮影されたことを検出した場合、一般用商品情報を含む前記商品情報を前記サーバーから送信するサーバー側送信ステップと、前記携帯端末が、前記サーバーから受信した前記商品情報を表示する表示ステップとを含む。
【００２５】
上記商品情報提供方法によれば、商品に表示されているＡＲマーカーが一般用撮影モードにより撮影された場合には、携帯端末のユーザーには一般用商品情報が提示される。一方、商品に表示されているＡＲマーカーが業務用撮影モードにより撮影された場合には、携帯端末のユーザーには業務用商品情報が提示される。したがって、一般の消費者による業務用撮影モードの使用が禁止されて一般用撮影モードの使用が許可されれば、一般の消費者は、一般用撮影モードを使用して一般用商品情報を取得することができ、一般の消費者には業務用商品情報が提示されないようにすることができる。また、業者による業務用撮影モードの使用が許可されれば、業者は、業務用撮影モードを使用して業務用商品情報を取得することができる。よって、携帯端末のユーザーに応じた商品情報を提供することが可能となる。
【発明の効果】
【００２６】
上記商品情報提供システムおよび商品情報提供方法によれば、携帯端末のユーザーに応じた商品情報を提供することができる。
【図面の簡単な説明】
【００２７】
【図１】本発明の第一実施形態に関する図であり、商品情報提供システムの構成図。
【図２】同実施形態の携帯電話端末の概略構成を示すブロック図。
【図３】同実施形態の基地局の概略構成を示すブロック図。
【図４】同実施形態の商品情報提供サーバーの概略構成を示すブロック図。
【図５】同実施形態のアプリケーション提供サーバーの概略構成を示すブロック図。
【図６】マーカーが付加されている商品の一例を示す図であり、（ａ）はＡＲマーカーが付加されている商品の外観図、（ｂ）はＡＲマーカーおよび個体識別番号が付加されている商品の外観図。
【図７】同実施形態の商品情報提供方法の流れを示すフローチャート。
【図８】同実施形態の商品情報送信処理の流れを示すフローチャート。
【図９】同実施形態の携帯電話端末における商品情報の表示態様の一例を示す図であり、（ａ）は一般用商品情報を表示する表示部の模式図、（ｂ）は業務用商品情報を表示する表示部の模式図。
【図１０】本発明の第二実施形態の商品情報送信処理の流れを示すフローチャート。
【発明を実施するための形態】
【００２８】
（第一実施形態）
図１に示されるように、商品情報提供システム１０は、携帯端末である携帯電話端末２０、基地局３０、商品情報提供サーバー４０、およびアプリケーション提供サーバー５０を有する。基地局３０、商品情報提供サーバー４０、およびアプリケーション提供サーバー５０は、インターネットを含むネットワークであるＩＰネットワーク１１に接続されている。
【００２９】
携帯電話端末２０は、商品情報提供サーバー４０から送信される商品情報を、ＩＰネットワーク１１および基地局３０を介して受信可能に構成される。また、携帯電話端末２０は、アプリケーション提供サーバー５０から送信されるアプリケーションを、ＩＰネットワーク１１および基地局３０を介してダウンロード可能に構成される。また、携帯電話端末２０は、ＧＰＳ衛星１２から電波として送信される信号を受信可能に構成される。
【００３０】
図２に示されるように、携帯電話端末２０は、アンテナ２１、送信部２２、受信部２３、撮影部２４、操作部２５、表示部２６、記憶部２７、および制御部２８を有する。携帯電話端末２０は、撮影部２４で商品を撮影し、撮影した商品の情報である商品情報を表示部２６に表示する。
【００３１】
送信部２２は、無線送信モジュールにより構成される。送信部２２は、携帯電話端末２０が有する通話機能、および商品情報要求信号の送信に使用される。送信部２２は、商品情報要求信号を送信するクライアント側送信部を構成する。送信部２２は、アンテナ２１を用いて基地局３０に電波を送信する。
【００３２】
受信部２３は、無線受信モジュールにより構成される。受信部２３は、携帯電話端末２０が有する通話機能とＧＰＳ機能、および商品情報の受信に使用される。受信部２３は、商品情報を受信するクライアント側受信部を構成する。受信部２３は、アンテナ２１を用いて基地局３０から送信される商品情報を受信する。また、受信部２３は、アンテナ２１を用いてＧＰＳ衛星１２から送信される信号を受信する。
【００３３】
撮影部２４は、カメラにより構成される。撮影部２４は、商品の撮影に使用される。撮影部２４は、商品に付加されているマーカーを撮影する。また、商品にマーカーとともに個体識別番号が付加されている場合は、マーカーとともに個体識別番号を撮影する。
【００３４】
操作部２５は、タッチパネル等のユーザインタフェースにより構成される。操作部２５は、携帯電話端末２０のユーザーによる携帯電話端末２０の動作の操作に使用される。
表示部２６は、液晶または有機ＥＬ等を用いたディスプレイにより構成される。表示部２６は、撮影した商品の表示、および商品情報の表示に使用される。表示部２６は、受信部２３で受信した商品情報を表示する。
【００３５】
記憶部２７は、メモリにより構成される。記憶部２７は、制御部２８が実行するプログラムの記憶、およびアプリケーションのインストール等に使用される。携帯電話端末２０は、商品を撮影するために撮影部２４を機能させるアプリケーションとして、一般用アプリケーションおよび業務用アプリケーションが記憶部２７にインストール可能に構成されている。
【００３６】
制御部２８は、携帯電話端末２０の各部を制御する集積回路により構成される。制御部２８は、撮影部２４を機能させるアプリケーションのダウンロードを要求する信号であるダウンロード要求信号を、送信部２２に送信させる。また、制御部２８は、撮影部２４を機能させるアプリケーションのデータを受信部２３に受信させ、記憶部２７にアプリケーションをインストールする。
【００３７】
また、制御部２８は、基地局３０から送信された信号を受信部２３に受信させ、携帯電話端末２０の位置情報を取得する。また、制御部２８は、ＧＰＳ衛星１２から送信された信号を受信部２３に受信させ、携帯電話端末２０の詳細な位置情報を取得する。
【００３８】
また、制御部２８は、商品情報の提供を要求する信号として商品情報要求信号を、送信部２２に送信させる。商品情報要求信号には、撮影部２４で撮影した商品に付加されているマーカーの情報が含まれる。また、商品情報要求信号には、撮影部２４で商品に付加されているマーカーを撮影したときに使用したアプリケーションの情報が含まれる。すなわち、一般用アプリケーションにより商品が撮影されたとき、制御部２８は、携帯電話端末２０が一般用アプリケーションにより商品を撮影したことを示す信号を、送信部２２に送信させる。また、業務用アプリケーションにより商品が撮影されたとき、制御部２８は、携帯電話端末２０が業務用アプリケーションにより商品を撮影したことを示す信号を、送信部２２に送信させる。また、撮影部２４でマーカーとともに個体識別番号を撮影したときには、商品情報要求信号には個体識別番号の情報が含まれる。
【００３９】
また、制御部２８は、商品の情報である商品情報を受信部２３に受信させ、表示部２６に商品情報を表示させる。このとき、制御部２８は、撮影部２４で撮影した商品に付加されているマーカーに応じた商品情報を、表示部２６に表示させる。撮影部２４で撮影した商品に付加されているマーカーがＡＲマーカーである場合には、制御部２８は、ＡＲ（Augmented Reality）を利用して、撮影した商品とともに商品情報を表示部２６に表示させる。
【００４０】
以上のように構成された携帯電話端末２０は、撮影部２４を機能させるアプリケーションをダウンロードする。また、携帯電話端末２０は、一般用アプリケーションまたは業務アプリケーションにより撮影部２４で商品を撮影して、送信部２２で商品情報要求信号を送信する。そして、携帯電話端末２０は、受信部２３で商品情報を受信して、商品情報を表示部２６で表示する。
【００４１】
図３に示されるように、基地局３０は、アンテナ３１、送信部３２、受信部３３、通信部３４、および制御部３５を有する。基地局３０は、携帯電話端末２０と商品情報提供サーバー４０との通信の中継を行う。また、基地局３０は、携帯電話端末２０とアプリケーション提供サーバー５０との通信の中継を行う。
【００４２】
送信部３２は、情報を送り出す電気通信装置である送信機により構成される。送信部３２は、携帯電話端末２０が有する通話機能、商品情報の送信、およびアプリケーションのデータの送信に使用される。送信部３２は、アンテナ３１を用いて携帯電話端末２０に電波を送信する。
【００４３】
受信部３３は、情報を受け取る電気通信装置である受信機により構成される。受信部３３は、携帯電話端末２０が有する通話機能、および商品情報要求信号の受信に使用される。受信部３３は、アンテナ３１を用いて携帯電話端末２０から送信される商品情報要求信号を受信する。
【００４４】
通信部３４は、電気通信装置であるネットワークインタフェースにより構成される。通信部３４は、ＩＰネットワーク１１を介した商品情報提供サーバー４０との通信に使用される。また、通信部３４は、ＩＰネットワーク１１を介したアプリケーション提供サーバー５０との通信に使用される。
【００４５】
制御部３５は、基地局３０の各部を制御する制御装置により構成される。制御部３５は、携帯電話端末２０から送信された信号を受信部３３に受信させ、受信部３３で受信した信号を通信部３４に送信させる。
【００４６】
また、制御部３５は、商品情報提供サーバー４０から送信された商品情報を通信部３４に受信させ、通信部３４で受信した商品情報を送信部３２に送信させる。また、制御部３５は、アプリケーション提供サーバー５０から送信されたアプリケーションのデータを通信部３４に受信させ、通信部３４で受信したアプリケーションのデータを送信部３２に送信させる。
【００４７】
以上のように構成された、基地局３０は、商品情報要求信号を受信部３３で受信したとき、受信した商品情報要求信号を通信部３４から商品情報提供サーバー４０に送信する。また、基地局３０は、ダウンロード要求信号を受信部３３で受信したとき、受信したダウンロード要求信号を通信部３４からアプリケーション提供サーバー５０に送信する。
【００４８】
図４に示されるように、商品情報提供サーバー４０は、通信部４１、記憶部４２、および制御部４３を有する。商品情報提供サーバー４０は、通信部４１を用いて商品情報を携帯電話端末２０に提供する。
【００４９】
通信部４１は、電気通信装置であるネットワークインタフェースにより構成される。通信部４１は、ＩＰネットワーク１１を介した基地局３０との通信に使用される。通信部４１は、携帯電話端末２０から送信された商品情報要求信号に基づいて、携帯電話端末２０により撮影されたマーカーに対応する商品情報を送信するサーバー側通信部を構成する。
【００５０】
記憶部４２は、商品情報を記憶する記憶装置により構成される。記憶部４２は、商品情報として一般用商品情報および業務用商品情報を記憶する。記憶部４２は、一般用商品情報として、商品の調理例を示すレシピ情報、商品の操作方法情報、商品のキャンペーン情報、一般の消費者による商品の評価情報、食物アレルギーに関する特定原材料情報を記憶する。また、記憶部４２は、商品情報として業務用商品情報として、商品の取り扱いに関する業務用マニュアル、商品の流通履歴、および商品を構成する部品または原材料についての流通履歴を記憶する。記憶部４２は、流通履歴として、原材料情報、生産者情報、製造地情報、製造工程情報、ＣＯ２排出量情報、品質管理情報、在庫管理情報、物流管理情報、流通ルート情報、出荷日時情報、および入荷日時情報を記憶する。業務用商品情報には、一般用商品情報が含まれていてもよい。また、業務用商品情報には、商品の個体識別番号に対応する情報も含まれる。
【００５１】
制御部４３は、商品情報提供サーバー４０の各部を制御する集積回路により構成される。制御部４３は、携帯電話端末２０から送信された商品情報要求信号を通信部４１に受信させる。また、制御部４３は、通信部４１で受信した商品情報要求信号に基づいて、携帯電話端末２０で撮影した商品に対応する商品情報を通信部４１に送信させる。このとき、商品情報要求信号に一般用アプリケーションにより商品を撮影したことを示す信号が含まれているとき、制御部４３は、記憶部４２に記憶されている一般用商品情報を通信部４１に送信させる。また、商品情報要求信号に業務用アプリケーションにより商品を撮影したことを示す信号が含まれているとき、制御部４３は、記憶部４２に記憶されている業務用商品情報を通信部４１に送信させる。
【００５２】
以上のように構成された商品情報提供サーバー４０は、通信部４１で商品情報を送信することにより、ＩＰネットワーク１１を介して携帯電話端末２０に商品情報を送信する。商品情報提供サーバー４０は、携帯電話端末２０が業務用アプリケーションによりマーカーを撮影したときには、業務用商品情報を送信し、携帯電話端末２０が一般用アプリケーションによりマーカーを撮影したときには、商品情報として一般用商品情報を送信する。
【００５３】
図５に示されるように、アプリケーション提供サーバー５０は、通信部５１、記憶部５２、および制御部５３を有する。アプリケーション提供サーバー５０は、通信部５１を用いて商品情報を携帯電話端末２０に提供する。
【００５４】
通信部５１は、電気通信装置であるネットワークインタフェースにより構成される。通信部５１は、ＩＰネットワーク１１を介した基地局３０との通信に使用される。通信部５１は、携帯電話端末２０から送信されたダウンロード要求信号に基づいて、アプリケーションのデータを送信するアプリケーションサーバー側通信部を構成する。
【００５５】
記憶部５２は、アプリケーションのデータを保持する記憶装置により構成される。記憶部５２は、商品を撮影するためのアプリケーションのデータとして一般用アプリケーションのデータおよび業務用アプリケーションのデータを保持する。
【００５６】
制御部５３は、アプリケーション提供サーバー５０の各部を制御する集積回路により構成される。制御部５３は、携帯電話端末２０から送信されたダウンロード要求信号を通信部５１に受信させる。また、制御部５３は、通信部５１で受信したダウンロード要求信号に基づいて、アプリケーションのデータを通信部５１に送信させる。このとき、携帯電話端末２０のユーザーが一般の消費者であると判定される場合には、制御部５３は、記憶部５２に記憶されている一般用アプリケーションのデータを通信部５１に送信させる。携帯電話端末２０のユーザーが業者であると判定される場合には、制御部５３は、記憶部５２に記憶されている業務用アプリケーションのデータを通信部５１に送信させる。携帯電話端末２０のユーザーの判定は、アプリケーションをダウンロードする際において携帯電話端末２０のユーザーにパスワード等の入力を求めることにより行うことが可能である。
【００５７】
以上のように構成された、アプリケーション提供サーバー５０は、通信部５１でアプリケーションのデータを送信することにより、ＩＰネットワーク１１を介して携帯電話端末２０にアプリケーションのデータを送信する。アプリケーション提供サーバー５０は、携帯電話端末２０が一般の消費者により使用されるときには、一般用アプリケーションのデータを送信し、携帯電話端末２０が業者により使用されるときには、業務用アプリケーションのデータを送信する。
【００５８】
図６を参照して、携帯電話端末２０を使用して商品情報を取得するための商品の一例について説明する。商品６０Ａ，６０Ｂには、マーカーとしてＡＲマーカー６１が付加されている。
【００５９】
図６（ａ）に示されるように、商品６０Ａは、内容物（図示略）を包むパッケージを含む。商品６０Ａのパッケージには、ＡＲマーカー６１が印刷されている。
図６（ａ）に示されるように、商品６０Ｂは、内容物（図示略）を包むパッケージを含む。商品６０Ｂには、ＡＲマーカー６１および個体識別番号６２が印刷されている。
【００６０】
図７および図８を参照して、本実施形態の商品情報提供方法について説明する。この商品情報提供方法は、業務用アプリケーションおよび一般用アプリケーションのいずれかが携帯電話端末２０にインストールされていることが前提とする。
【００６１】
図７に示されるように、まず、携帯電話端末２０のユーザーが、携帯電話端末２０の撮影部２４を用いて、商品を撮影する（撮影ステップＳ１）。この撮影ステップＳ１において、携帯電話端末２０のユーザーは、撮影に使用するアプリケーションを選択することにより、携帯電話端末２０は、業務用アプリケーションまたは一般用アプリケーションを用いて、商品に付加されているマーカーを撮影する。
【００６２】
次いで、マーカーを撮影した携帯電話端末２０が、送信部２２を用いて、商品情報要求信号を送信する（クライアント側送信ステップＳ２）。このクライアント側送信ステップＳ２において、携帯電話端末２０は、商品情報要求信号を基地局３０に送信することにより、商品情報要求信号を商品情報提供サーバー４０に送信する。
【００６３】
次いで、基地局３０が、受信部３３を用いて、クライアント側送信ステップＳ２において送信された商品情報要求信号を受信する（基地局側受信ステップＳ３）。また、基地局３０が、通信部３４を用いて、基地局側受信ステップＳ３において受信した商品情報要求信号を商品情報提供サーバー４０に送信する（基地局側送信ステップＳ４）。
【００６４】
次いで、商品情報提供サーバー４０が、通信部４１を用いて、基地局側送信ステップＳ４において送信された商品情報要求信号を受信する（サーバー側受信ステップＳ５）。このサーバー側受信ステップＳ５において、商品情報提供サーバー４０は、クライアント側送信ステップＳ２において送信された携帯電話端末２０からの商品情報要求信号を受信する。
【００６５】
次いで、商品情報提供サーバー４０が、通信部４１を用いて、サーバー側受信ステップＳ５において受信した商品情報要求信号に基づいて、撮影ステップＳ１で撮影されたマーカーに対応する商品情報を送信する（サーバー側送信ステップＳ６）。このサーバー側送信ステップＳ６において、商品情報提供サーバー４０は、商品情報送信処理を行う。商品情報処理において、商品情報提供サーバー４０は、携帯電話端末２０がマーカーを撮影するときに使用されたアプリケーションを判定し、マーカーを撮影するときに使用されたアプリケーションに応じて商品情報を基地局３０に送信することにより、商品情報を携帯電話端末２０に送信する。
【００６６】
次いで、基地局３０が、通信部３４を用いて、サーバー側送信ステップＳ６において送信された商品情報を受信する（基地局側受信ステップＳ７）。また、基地局３０が、送信部３２を用いて、基地局側受信ステップＳ７において受信した商品情報を携帯電話端末２０に送信する（基地局側送信ステップＳ８）。
【００６７】
次いで、携帯電話端末２０が、受信部２３を用いて、基地局側送信ステップＳ８において送信された商品情報を受信する（クライアント側受信ステップＳ９）。このクライアント側受信ステップＳ９において、携帯電話端末２０は、サーバー側送信ステップＳ６において送信された商品情報提供サーバー４０からの商品情報を受信する。
【００６８】
そして、携帯電話端末２０が、表示部２６を用いて、クライアント側受信ステップＳ９において受信した商品情報を表示する（表示ステップＳ１０）。この表示ステップＳ１０において、携帯電話端末２０は、商品情報提供サーバー４０から受信した商品情報を表示する。
【００６９】
図８に示されるように、上記サーバー側送信ステップＳ６における商品情報送信処理においては、まず、商品情報提供サーバー４０の制御部４３が、マーカーを撮影するときに使用されたアプリケーションを判定する。すなわち、制御部４３が、撮影ステップＳ１において携帯電話端末２０がマーカーを撮影するときに使用されたアプリケーションが、一般用アプリケーションであるか業務用アプリケーションであるかを判断する（アプリケーション判定ステップＳ１１）。
【００７０】
携帯電話端末２０がマーカーを撮影するときに使用されたアプリケーションが一般用アプリケーションであるとアプリケーション判定ステップＳ１１において判定されたとき、商品情報提供サーバー４０は、通信部４１を用いて、マーカーに対応する商品情報として一般用商品情報を送信する（一般用商品情報送信ステップＳ１２）。
【００７１】
一方、携帯電話端末２０がマーカーを撮影するときに使用されたアプリケーションが業務用アプリケーションであるとアプリケーション判定ステップＳ１１において判定されたとき、商品情報提供サーバー４０は、通信部４１を用いて、マーカーに対応する商品情報として業務用商品情報を送信する（業務用商品情報送信ステップＳ１３）。この業務用商品情報送信ステップＳ１３において、商品情報提供サーバー４０の通信部４１は、業務用商品情報として、携帯電話端末２０が撮影した商品６０Ａについての流通履歴、および携帯電話端末２０が撮影した商品６０Ａを構成する部品または原材料についての流通履歴を送信する。また、商品情報提供サーバー４０の通信部４１は、流通履歴として、原材料情報、生産者情報、製造地情報、製造工程情報、ＣＯ２排出量情報、品質管理情報、在庫管理情報、物流管理情報、流通ルート情報、出荷日時情報、および入荷日時情報を送信する。このような情報が携帯電話端末２０のユーザーに提示されることにより、商品６０Ａのトレーサビリティが実現される。
【００７２】
本実施形態の作用について説明する。
図９（ａ）に示すように、商品６０Ａに付加されているＡＲマーカー６１を撮影するアプリケーションとして一般用アプリケーションが使用される場合には、表示部２６には商品６０Ａを用いたレシピ等の一般用商品情報が表示され、携帯電話端末２０のユーザーには一般用商品情報が提示される。
【００７３】
図９（ｂ）に示すように、商品６０Ａに付加されているＡＲマーカー６１を撮影するアプリケーションとして業務用アプリケーションが使用される場合には、表示部２６には商品６０Ａの生産者情報および製造地情報等の業務用商品情報が表示され、携帯電話端末２０のユーザーには業務用商品情報が提示される。
【００７４】
また、業務用アプリケーションが使用される場合に、商品６０Ｂに付加されているＡＲマーカー６１と個体識別番号６２とが撮影されたとき、表示部２６にはＡＲマーカー６１に対応する業務用商品情報と、個体識別番号６２に対応する業務用商品情報とが表示される。
【００７５】
本実施形態は以下の効果を奏する。
（１）商品情報提供システム１０において、携帯電話端末２０は、撮影部２４と、商品情報要求信号を送信する送信部２２と、商品情報を受信する受信部２３と、商品情報を表示する表示部２６とを備え、商品情報提供サーバー４０は、撮影部２４により撮影されたＡＲマーカー６１に対応する商品情報を送信する通信部４１を備える。そして、商品情報提供サーバー４０は、携帯電話端末２０が業務用アプリケーションによりＡＲマーカー６１を撮影したときには、商品情報として業務用商品情報を通信部４１から送信し、携帯電話端末２０が一般用アプリケーションによりＡＲマーカー６１を撮影したときには、商品情報として一般用商品情報を通信部４１から送信する。したがって、一般の消費者に業務用アプリケーションが頒布されずに一般用アプリケーションが頒布されれば、一般の消費者は、一般用アプリケーションを使用して一般用商品情報を取得することができ、一般の消費者には業務用商品情報が提示されないようにすることができる。また、業者に業務用アプリケーションが頒布されれば、業者は、業務用アプリケーションを使用して業務用商品情報を取得することができる。よって、携帯電話端末２０のユーザーに応じた商品情報を提供することが可能となる。
【００７６】
（２）一般用商品情報および業務用商品情報の提示について同じＡＲマーカー６１を共用することができるため、一般用商品情報が提示されるためのマーカーと業務用商品情報が提示されるためのマーカーとが独立している場合に比べて、商品６０ＡにＡＲマーカー６１が付加される領域を小さくすることができる。
【００７７】
（３）商品情報提供方法は、撮影ステップＳ１と、クライアント側送信ステップＳ２と、サーバー側送信ステップＳ６と、表示ステップＳ１０とを備える。そして、サーバー側送信ステップＳ６において、商品情報提供サーバー４０は、携帯電話端末２０がＡＲマーカー６１を撮影するときに使用されたアプリケーションが業務用アプリケーションであると判定したときには、商品情報として業務用商品情報を送信する。一方、サーバー側送信ステップＳ６において、商品情報提供サーバー４０は、携帯電話端末がＡＲマーカー６１を撮影するときに使用されたアプリケーションが一般用アプリケーションであると判定したときには、商品情報として一般用商品情報を送信する。したがって、一般の消費者に対して業務用アプリケーションを使用させずに一般用アプリケーションを使用させれば、一般の消費者は、一般用アプリケーションを使用して一般用商品情報を取得することができ、一般の消費者には業務用商品情報が提示されないようにすることができる。また、業者に対して業務用アプリケーションを使用させれば、業者は、業務用アプリケーションを使用して業務用商品情報を取得することができる。よって、携帯電話端末２０のユーザーに応じた商品情報を提供することが可能となる。また、上記（２）の効果を奏する。
【００７８】
（４）商品情報提供サーバー４０の通信部４１は、携帯電話端末２０が撮影した商品６０Ａについての流通履歴、および携帯電話端末２０が撮影した商品６０Ａを構成する部品または原材料についての流通履歴を送信する。このため、携帯電話端末２０のユーザーである業者が、商品６０Ａに付加されているＡＲマーカー６１を撮影することにより、商品６０Ａについての流通履歴、および商品６０Ａを構成する部品または原材料についての流通履歴を取得することが可能となる。
【００７９】
（５）表示部２６が、ＡＲマーカー６１に対応する商品情報だけでなく、個体識別番号６２に対応する商品情報を表示することにより、ＡＲマーカー６１により提示される商品情報以外の商品情報を携帯電話端末２０のユーザーに提示することができる。
【００８０】
（第二実施形態）
第一実施形態においては、マーカーの撮影に使用されたアプリケーションに応じて一般用商品情報または業務用商品情報が提示される。これに対して、第二実施形態においては、マーカーの撮影に使用されたアプリケーションの撮影モードに応じて一般用商品情報または業務用商品情報が提示される。以下、上記実施形態の構成から変更される部分について詳しく説明し、上記実施形態と同様の構成については説明を省略する。
【００８１】
本実施形態の携帯電話端末２０は、商品を撮影するために撮影部２４を機能させるアプリケーションとして、一般用撮影モードおよび業務用撮影モードを有するアプリケーションが記憶部２７にインストール可能に構成されている。携帯電話端末２０は、一般用撮影モードまたは業務撮影モードにより撮影部２４で商品を撮影して、送信部２２で商品情報要求信号を送信する。
【００８２】
本実施形態の送信部２２が送信する商品情報要求信号には、撮影部２４で商品に付加されているマーカーを撮影したときに使用した撮影モードの情報が含まれる。すなわち、一般用撮影モードにより商品が撮影されたとき、制御部２８は、携帯電話端末２０が一般用撮影モードにより商品を撮影したことを示す信号を、送信部２２に送信させる。また、業務用撮影モードにより商品が撮影されたとき、制御部２８は、携帯電話端末２０が業務用撮影モードにより商品を撮影したことを示す信号を、送信部２２に送信させる。
【００８３】
本実施形態の制御部４３は、携帯電話端末２０のユーザーが一般の消費者であると判定される場合には、業務用撮影モードの使用を禁止して、一般用撮影モードの使用を許可する。また、制御部４３は、携帯電話端末２０のユーザーが業者であると判定される場合には、業務用撮影モードおよび一般用撮影モードを許可する。携帯電話端末２０のユーザーの判定は、携帯電話端末２０のユーザーが撮影モードを選択する際において、携帯電話端末２０のユーザーにパスワード等の入力を求めることにより行うことが可能である。
【００８４】
本実施形態の制御部４３は、商品情報要求信号に一般用撮影モードにより商品を撮影したことを示す信号が含まれているとき、制御部４３は、記憶部４２に記憶されている一般用商品情報を通信部４１に送信させる。また、商品情報要求信号に業務用撮影モードにより商品を撮影したことを示す信号が含まれているとき、制御部４３は、記憶部４２に記憶されている業務用商品情報を通信部４１に送信させる。
【００８５】
したがって、本実施形態の商品情報提供サーバー４０は、商品情報提供サーバー４０は、携帯電話端末２０が業務用撮影モードによりマーカーを撮影したときには、業務用商品情報を送信し、携帯電話端末２０が一般用撮影モードによりマーカーを撮影したときには、商品情報として一般用商品情報を送信する。
【００８６】
本実施形態の記憶部５２は、商品を撮影するためのアプリケーションのデータとして、一般用撮影モードおよび業務用撮影モードを有するアプリケーションのデータを保持する。制御部５３は、通信部５１で受信したダウンロード要求信号に基づいて、記憶部５２に記憶されている一般用撮影モードおよび業務用撮影モードを有するアプリケーションのデータを通信部５１に送信させる。
【００８７】
図７および図１０を参照して、本実施形態の商品情報提供方法について説明する。この商品情報提供方法は、業務用撮影モードおよび一般用撮影モードを有するアプリケーションが携帯電話端末２０にインストールされていることを前提とする。
【００８８】
図７に示されるように、まず、携帯電話端末２０のユーザーが、携帯電話端末２０の撮影部２４を用いて、商品を撮影する（撮影ステップＳ１）。この撮影ステップＳ１において、携帯電話端末２０のユーザーは、撮影に使用するアプリケーションにおける撮影モードを選択することにより、携帯電話端末２０は、業務用撮影モードまたは一般用撮影モードにより、商品に付加されているマーカーを撮影する。
【００８９】
次いで、マーカーを撮影した携帯電話端末２０が、送信部２２を用いて、商品情報要求信号を送信する（クライアント側送信ステップＳ２）。また、基地局３０が、受信部３３を用いて、クライアント側送信ステップＳ２において送信された商品情報要求信号を受信する（基地局側受信ステップＳ３）。
【００９０】
次いで、基地局３０が、通信部３４を用いて、基地局側受信ステップＳ３において受信した商品情報要求信号を商品情報提供サーバー４０に送信する（基地局側送信ステップＳ４）。また、商品情報提供サーバー４０が、通信部４１を用いて、基地局側送信ステップＳ４において送信された商品情報要求信号を受信する（サーバー側受信ステップＳ５）。
【００９１】
次いで、商品情報提供サーバー４０が、通信部４１を用いて、サーバー側受信ステップＳ５において受信した商品情報要求信号に基づいて、撮影ステップＳ１で撮影されたマーカーに対応する商品情報を送信する（サーバー側送信ステップＳ６）。本実施形態のサーバー側送信ステップＳ６における商品情報処理において、商品情報提供サーバー４０は、携帯電話端末２０がマーカーを撮影するときに使用された撮影モードを判定し、マーカーを撮影するときに使用された撮影モードに応じて商品情報を基地局３０に送信することにより、商品情報を携帯電話端末２０に送信する。
【００９２】
次いで、基地局３０が、通信部３４を用いて、サーバー側送信ステップＳ６において送信された商品情報を受信する（基地局側受信ステップＳ７）。また、基地局３０が、送信部３２を用いて、基地局側受信ステップＳ７において受信した商品情報を携帯電話端末２０に送信する（基地局側送信ステップＳ８）。
【００９３】
次いで、携帯電話端末２０が、受信部２３を用いて、基地局側送信ステップＳ８において送信された商品情報を受信する（クライアント側受信ステップＳ９）。そして、携帯電話端末２０が、表示部２６を用いて、クライアント側受信ステップＳ９において受信した商品情報を表示する（表示ステップＳ１０）。
【００９４】
図１０に示されるように、上記サーバー側送信ステップＳ６における商品情報送信処理においては、まず、商品情報提供サーバー４０の制御部４３が、撮影ステップＳ１において携帯電話端末２０がマーカーを撮影するときに使用された撮影モードが、一般用撮影モードであるか業務用撮影モードであるかを判断する（撮影モード判定ステップＳ２１）。
【００９５】
携帯電話端末２０が一般用撮影モードによりマーカーを撮影したと撮影モード判定ステップＳ２１において判定されたとき、商品情報提供サーバー４０は、通信部４１を用いて、マーカーに対応する商品情報として一般用商品情報を送信する（一般用商品情報送信ステップＳ１２）。
【００９６】
一方、携帯電話端末２０が業務用撮影モードによりマーカーを撮影したと撮影モード判定ステップＳ２１において判定されたとき、商品情報提供サーバー４０は、通信部４１を用いて、マーカーに対応する商品情報として業務用商品情報を送信する（業務用商品情報送信ステップＳ１３）。
【００９７】
本実施形態の作用について説明する。
図９（ａ）に示すように、商品６０Ａに付加されているＡＲマーカー６１を撮影するアプリケーションにおいて、一般用撮影モードが使用される場合、すなわちＡＲマーカー６１が一般用撮影モードにより撮影された場合には、携帯電話端末２０のユーザーには一般用商品情報が提示される。
【００９８】
図９（ｂ）に示すように、商品６０Ａに付加されているＡＲマーカー６１を撮影するアプリケーションにおいて、業務用撮影モードが使用される場合には、すなわち、ＡＲマーカー６１が業務用撮影モードにより撮影された場合には、携帯電話端末２０のユーザーには業務用商品情報が提示される。
【００９９】
本実施形態は以下の効果を奏する。
（５）商品情報提供システム１０において、携帯電話端末２０は、撮影部２４と、商品情報要求信号を送信する送信部２２と、商品情報を受信する受信部２３と、商品情報を表示する表示部２６とを備え、商品情報提供サーバー４０は、撮影部２４により撮影されたＡＲマーカー６１に対応する商品情報を送信する通信部４１を備える。そして、商品情報提供サーバー４０は、携帯電話端末２０が業務用撮影モードによりＡＲマーカー６１を撮影したときには、商品情報として業務用商品情報を通信部４１から送信し、携帯電話端末２０が一般用撮影モードによりＡＲマーカー６１を撮影したときには、商品情報として一般用商品情報を通信部４１から送信する。したがって、一般の消費者による業務用撮影モードの使用が禁止されて一般用撮影モードの使用が許可されれば、一般の消費者は、一般用撮影モードを使用して一般用商品情報を取得することができ、一般の消費者には業務用商品情報が提示されないようにすることができる。また、業者による業務用撮影モードの使用が許可されれば、業者は、業務用撮影モードを使用して業務用商品情報を取得することができる。よって、携帯電話端末２０のユーザーに応じた商品情報を提供することが可能となる。また、上記（２）の効果を奏する。
【０１００】
（６）商品情報提供方法は、撮影ステップＳ１と、クライアント側送信ステップＳ２と、サーバー側送信ステップＳ６と、表示ステップＳ１０とを備える。そして、サーバー側送信ステップＳ６において、商品情報提供サーバー４０は、携帯電話端末２０が業務用撮影モードによりＡＲマーカー６１を撮影したと判定したときには、商品情報として業務用商品情報を送信する。一方、サーバー側送信ステップＳ６において、商品情報提供サーバー４０は、携帯電話端末が一般用撮影モードによりＡＲマーカー６１を撮影したと判定したときには、商品情報として一般用商品情報を送信する。したがって、上記（５）に準じた効果を奏する。また、上記（２）の効果を奏する。
【０１０１】
本発明は、第一実施形態および第二実施形態以外の他の実施形態を含む。以下、本発明の他の実施形態として、上記実施形態の変形例を示す。なお、以下の各変形例は互いに組み合わせることもできる。
【０１０２】
・携帯電話端末２０が、携帯電話端末２０の位置を示す位置情報信号を送信部２２から送信し、商品情報提供サーバー４０が、携帯電話端末２０が送信した位置情報信号に基づいて、通信部４１から送信する業務用商品情報の内容を変更する構成を採用することもできる。このような構成によれば、商品の存在する場所に対応した業務用商品情報を提示することができるため、携帯電話端末２０のユーザーである業者が、商品の流通工程に応じた業務用商品情報を取得することが可能となる。なお、このような構成においては、位置情報信号は、携帯電話端末２０の位置情報を示す信号であり、携帯電話端末２０の位置情報は、商品情報要求信号に含まれる。
【０１０３】
・商品情報提供サーバー４０が、携帯電話端末２０が送信した位置情報信号に基づいて、携帯電話端末２０が所定の位置に存在しないときに、通信部４１からの業務用商品情報の送信を禁止する構成を採用することもできる。このような構成によれば、業務用商品情報が提示されることが好ましくない場所で携帯電話端末２０が使用されている場合には、業務用商品情報の提示を禁止することができ、業務用商品情報の非公開制を高めることができる。
【０１０４】
・携帯電話端末２０が、携帯電話端末２０の位置を示す位置情報信号を送信部２２から送信し、商品情報提供サーバー４０が、携帯電話端末２０が送信した位置情報信号に基づいて、通信部４１から送信する一般用商品情報の内容を変更する構成を採用することもできる。このような構成によれば、商品の存在する場所に対応した一般用商品情報を提示することができるため、携帯電話端末２０のユーザーである一般の消費者が、商品の流通工程に応じた一般用商品情報を取得することが可能となる。
【０１０５】
・商品情報提供サーバー４０が、時刻に応じて通信部４１から送信する業務用商品情報の内容を変更する構成を採用することもできる。このような構成によれば、時刻に対応した業務用商品情報を提示することができるため、携帯電話端末２０のユーザーである業者が、商品の流通工程に応じた業務用商品情報を取得することが可能となる。
【０１０６】
・商品情報提供サーバー４０が、所定の時間外であるときに、通信部４１からの業務用商品情報の送信を禁止する構成を採用することもできる。このような構成によれば、業務用商品情報が提示されることが好ましくない時間帯に携帯電話端末２０が使用されている場合には、業務用商品情報の提示を禁止することができ、業務用商品情報の非公開制を高めることができる。
【０１０７】
・商品情報提供サーバー４０が、時刻に応じて通信部４１から送信する一般用商品情報の内容を変更する構成を採用することもできる。このような構成によれば、時刻に対応した一般用商品情報を提示することができるため、携帯電話端末２０のユーザーである一般の消費者が、商品の流通工程に応じた一般用商品情報を取得することが可能となる。
【０１０８】
・上記実施形態においては、携帯電話端末２０が、商品を撮影して商品情報を表示するが、携帯電話端末２０以外のデジタル機器により携帯端末を構成することもできる。携帯電話端末２０以外の携帯端末としては、例えば、タブレット端末等の通信機能およびカメラ付きのデジタル機器を用いることができる。
【０１０９】
・ＩＰネットワーク１１以外のインターネットを含まないネットワークにより、商品情報提供システムを構成することができる。また、基地局３０に代えて、基地局３０以外の無線局である無線ＬＡＮアクセスポイントにより、商品情報提供システムを構成することができる。
【０１１０】
・上記実施形態においては、商品とともに商品情報が表示されるが、商品を撮影した後に、商品情報だけが表示される構成を採用することもできる。
【符号の説明】
【０１１１】
１０…商品情報提供システム、１１…ＩＰネットワーク（ネットワーク）、１２…ＧＰＳ衛星、２０…携帯電話端末（携帯端末）、２１…アンテナ、２２…送信部（クライアント側送信部）、２３…受信部（クライアント側受信部）、２４…撮影部、２５…操作部、２６…表示部、２７…記憶部、２８…制御部、３０…基地局、３１…アンテナ、３２…送信部、３３…受信部、３４…通信部、３５…制御部、４０…商品情報提供サーバー（サーバー）、４１…通信部（サーバー側通信部）、４２…記憶部、４３…制御部、５０…アプリケーション提供サーバー、５１…通信部、５２…記憶部、５３…制御部、６０Ａ，６０Ｂ…商品、６１…ＡＲマーカー、６２…個体識別番号。
【図１】
0005991004.tif 000002
【図２】
0005991004.tif 000003
【図３】
0005991004.tif 000004
【図４】
0005991004.tif 000005
【図５】
0005991004.tif 000006
【図６】
0005991004.tif 000007
【図７】
0005991004.tif 000008
【図８】
0005991004.tif 000009
【図９】
0005991004.tif 000010
【図１０】
0005991004.tif 000011